(57)【要約】【課題】ワープルートへの入球確率に変化を持たせ、遊技の興趣を向上させた弾球遊技機を提供することにある。【解決手段】遊技盤ベース２に、少なくとも遊技領域Ａに打ち出された遊技球を振り分ける中央役物９を備えて遊技盤１が構成されており、前記中央役物は、遊技領域を転動流下する遊技球を受け入れる遊技球受入口１４を遊技領域中に臨ませたワープルート２２を内装すると共に、駆動装置２３にて駆動可能に構成することで、前記遊技球受入口の位置が変位可能に構成されている。【選択図】    図１
2006149638.tif 000002
【特許請求の範囲】
【請求項１】
遊技盤ベースに、少なくとも遊技領域に打ち出された遊技球を振り分ける役物を備えて遊技盤が構成されており、
前記役物は、遊技領域を転動流下する遊技球を受け入れる遊技球受入口を遊技領域中に臨ませたワープルートを内装すると共に、駆動装置にて駆動可能に構成することで、前記遊技球受入口の位置が変位可能に構成されていることを特徴とする弾球遊技機。
【請求項２】
役物は、左右いずれかの方向若しくは双方向に回転駆動可能に構成されていることを特徴とする請求項１に記載の弾球遊技機。
【請求項３】
駆動装置は、駆動制御手段により駆動制御されており、
駆動制御手段は、役物の駆動速度を変更可能であることを特徴とする請求項１又は２に記載の弾球遊技機。
【請求項４】
駆動装置は、駆動制御手段により駆動制御されており、
駆動制御手段は、役物の駆動角度又は駆動方向を変更可能であることを特徴とする請求項１乃至３のいずれかに記載の弾球遊技機。
【請求項５】
役物は、遊技領域中に複数の遊技球受入口を臨ませた状態で、遊技盤ベースに設けた貫通孔内に回転可能に埋設すると共に、遊技盤ベースの裏側に備えた駆動装置により駆動可能に構成したことを特徴とする請求項１乃至４のいずれかに記載の弾球遊技機。
【請求項６】
役物は、遊技盤ベースの表面に突設させると共に、該遊技盤ベースの裏側に備えた駆動装置により、前記ベース表面を摺接して駆動可能に構成したことを特徴とする請求項１乃至４のいずれかに記載の弾球遊技機。
【請求項７】
役物には遊技球が転動可能な遊技球転動面を備えたステージが備えられ、該遊技球転動面の直上には、複数の遊技球受入口と連通して役物内に配設したワープルートの排出側と連通する複数の第一排出孔が臨んでいると共に、前記遊技球転動面には、前記夫々の第一排出孔から排出されて転動する遊技球を遊技領域へと排出する複数の第二排出孔が備えられていることを特徴とする請求項６に記載の弾球遊技機。
【発明の詳細な説明】
【技術分野】
【０００１】
本発明は、弾球遊技機、詳しくは、いわゆるワープルートを有する役物を備えた弾球遊技機に関する。
【背景技術】
【０００２】
弾球遊技機（いわゆるパチンコ機）は、発射装置のハンドルのレバーを時計方向に回転させ、例えば内蔵する発射ソレノイドを作動させて遊技球を遊技盤の遊技領域に打ち出すことにより、該遊技領域に備えた多数の遊技釘や遊技球誘導部材（例えばステージや天通路等）などにより遊技球が転動しつつ流下し、所望な入賞口に遊技球が入賞することで所望な演出がなされ、かつ賞球を得ることにより遊技を楽しむものである。
【０００３】
弾球遊技機の遊技性が各機種様々である昨今、弾球遊技機の遊技の意外性・面白みに対する遊技者ニーズが高まっている。
そこで、遊技盤の遊技領域に打ち出された遊技球に意外性のある動きを与え、遊技者に対して遊技球の動きに意外感や面白みを与え、遊技の興趣を向上させようとする弾球遊技機が提供されている。
【０００４】
例えば、遊技領域に備えられる遊技部材の一つとして、中央役物が知られており、この中央役物は、遊技盤ベースの表面に突設され、遊技領域に打ち出された遊技球を振り分けるもので、例えばその中央部分には液晶表示装置などを臨ませると共に、その周囲に所定の装飾を施して備えられているものである。この中央役物には、遊技領域中を転動流下する遊技球を受け入れると共に、該受入箇所とは異なる箇所から再び遊技領域に排出する遊技球通路、いわゆるワープルートを備えたものが知られており、このワープルートの排出先が、表示装置の変動表示を起動すると共に、大当たりとするか否かの抽選処理を起動する始動入賞装置の上方としているものがある。
このように、遊技球がワープルートに入球すると、始動入賞装置に入賞する確率が高くなり、大当たりなど遊技者に有利な遊技状態となる確率が高くなるため、遊技者は、前記ワープルートに入球した遊技球の排出先（行方）を追い掛け、注目することから遊技の興趣の向上が図れるものである。
【０００５】
このようにワープルートを備えた中央役物を有する弾球遊技機として次のような先行技術が知られている。
周方向の左右肩部と最下部に球入口を備え、遊技盤ベースに固定して備えた円環状の遮蔽環部と、該遮蔽環部の内側で回転可能に備えられ、内部空間と連通する複数個の開口部を備えた円環状の可動部材とからなる中央役物を備え、前記可動部材が回転し、開口部が遮蔽環部の球入口と連通したタイミングでワープルートが開口され、該開口を介して遊技球が入球されると、中央役物内の遊技球転動領域内を遊技球が転動し、再び前記開口部と最下部の球入口とが連通すると、ワープルートが開口されて前記最下部の球入口から遊技球が排出され、下方に備えた始動入賞装置方向へと落下するものが知られている（例えば、特許文献１参照）。
このように、先行技術では、ワープルートへの球通過率を変化させることで遊技の興趣を図ろうとしていた。また、可動部材の開口部と遮蔽環部の球入口とが対向する位置に来て初めて遊技球がワープルートに入球可能となるため、ワープルートへの入球確率（球通過率）が極めて低く、遊技者の発射技量を活かすことが出来るため、高度な発射技量を有する者にとっては面白みがあった。
【特許文献１】特開２００２−２７２９３６号公報
【発明の開示】
【発明が解決しようとする課題】
【０００６】
しかし、前記先行技術では、可動部材の開口部と遮蔽環部の球入口とが対向する位置に来て初めて遊技球がワープルートに入球可能となるため、ワープルートへの入球確率（球通過率）が極めて低いものであったため、上述したとおり高度な発射技量を有する遊技者にあってはゲーム性が高く面白みもあるが、遊技初心者にあってはワープルートへ入球させることが極めて困難で、遊技意欲を喪失させてしまうものであった。
さらにワープルートへの遊技球の入球は、常に遮蔽環部の左右肩部に設けた球入口からしか入球しない構成であったため、遊技を重ねることで遊技者は飽きてしまい、遊技の興趣の低下を招いていた。
本発明は、このような問題を解決するためになされており、その目的とするところは、ワープルートへの入球確率に変化を持たせ、遊技の興趣を向上させた弾球遊技機を提供することにある。
【課題を解決するための手段】
【０００７】
このような目的を達成するために、第１の発明は、遊技盤ベース２に、少なくとも遊技領域Ａに打ち出された遊技球を振り分ける役物（中央役物９）を備えて遊技盤１が構成されており、前記役物９は、遊技領域Ａを転動流下する遊技球を受け入れる遊技球受入口１４を遊技領域Ａ中に臨ませたワープルート２２を内装すると共に、駆動装置２３にて駆動可能に構成することで、前記遊技球受入口１４の位置が変位可能に構成されていることを特徴とする弾球遊技機としたことである。
本発明によれば、ワープルート２２の遊技球受入口１４は常に開放されており、遊技球を常時受入可能な状態で変位するものであるため、高度な発射技量を有していない初心者であっても、然程問題なく遊技を行うことが出来、入賞率の低下及び遊技の興趣低下を防止できる。
また、本発明によれば、役物９が駆動装置２３によって所定方向に駆動可能に備えられ、役物９に備えたワープルート２２の遊技球受入口１４の位置を遊技中に変位させることができるため、遊技領域Ａ内の広い位置で転動する遊技球を拾うことができるので、遊技に対する飽きや興趣の低下を防止することができる。
さらに、ワープルート２２の遊技球受入口１４位置が変位するため、遊技者の発射技量を活かすことでき、高度な発射技量を有している者にとっても遊技の興趣が図れる。
【０００８】
第２の発明は、第１の発明において、役物９は、左右いずれかの方向若しくは双方向に回転駆動可能に構成されていることを特徴とする弾球遊技機としたことである。
本発明によれば、役物９が回転し、ワープルート２２の遊技球受入口１４を回転方向に変位させることができるため、ワープルート２２への入球率を変化させることができ、遊技の興趣が図れる。また、本発明によれば、役物９の回転作動にしたがって、遊技球受入口１４も回転方向に移動するため、役物９の上方部位で遊技球を受け入れた遊技球受入口１４が、下方部位に移動して遊技球を排出する場合があるため、遊技の意外性により遊技者の興趣が向上する。
【０００９】
第３の発明は、第１又は第２の発明において、駆動装置２３は、駆動制御手段により駆動制御されており、該駆動制御手段は、役物９の駆動速度を変更可能であることを特徴とする弾球遊技機としたことである。
本発明によれば、例えば、遊技状態が通常の遊技状態の時には通常の速度で駆動し、遊技状態が時短中など遊技者に有利な状態である時には、通常の速度よりも遅い速度で駆動させることが可能である。このような制御を行うことにより、ワープルート２２の遊技球受入口１４を遊技者が狙い易くなる。
また、例えば所定時間、入賞装置への遊技球の入賞を検出しない場合には、役物９を遅い速度で駆動させてワープルート２２の遊技球受入口１４への入球を容易にすることができる。
また、本発明によれば、役物９を連続駆動させることも、間欠駆動させることも可能で役物９の駆動に変化を持たせることができる。
【００１０】
第４の発明は、第１乃至第３のいずれかの発明において、駆動装置２３は、駆動制御手段により駆動制御されており、該駆動制御手段は、役物９の駆動角度又は駆動方向を変更可能であることを特徴とする弾球遊技機としたことである。
本発明によれば、例えば役物９の直下位置に備えられた入賞装置（例えば始動入賞装置５）に最も入賞し易い角度を記憶させておき、遊技状態に応じてその記憶角度になるように駆動制御できる。また左右いずれかの方向への駆動で、入賞装置５への入賞率が異なる場合には、遊技状態に対応した駆動制御が可能である。
【００１１】
第５の発明は、第１乃至第４のいずれかの発明において、役物９は、遊技領域Ａ中に複数の遊技球受入口１４を臨ませた状態で、遊技盤ベース２に設けた貫通孔３内に回転可能に埋設すると共に、遊技盤ベース２の裏側に備えた駆動装置２３により駆動可能に構成したことを特徴とする弾球遊技機としたことである。
本発明によれば、遊技領域中において、その中央部分（役物９）が回転作動しその周囲の遊技領域Ａは固定のままであるため、例えば役物９を透明性部材で形成すれば、ワープルート２２に入球した遊技球が、通常の遊技領域とは異なる遊技領域を転動しているように視認され、遊技者に視覚的な効果を与えることができる。
また、遊技領域Ａ中には、複数の遊技球受入口１４を臨ませるだけで、極力遊技領域Ａを占有する面積を少なくできるため、遊技領域Ａの外観をすっきりとまとめることができ、上述の効果と共に、意匠的な外観的美感を向上させることができる。また、役物９を駆動させるにあたり他の遊技部材との干渉を考える必要がない。
【００１２】
第６の発明は、第１乃至第４のいずれかの発明において、役物９は、遊技盤ベース２の表面２ａに突設させると共に、該遊技盤ベース２の裏側に備えた駆動装置２３により、前記ベース表面２ａを摺接して駆動可能に構成したことを特徴とする弾球遊技機としたことである。
本発明によれば、役物９が遊技盤ベース２上に突出した状態で駆動するため、例えば左右方向に所定角度揺動させるように構成するものとすれば、上述した効果と共に、振り子状の新規な遊技部材として遊技者の興趣を向上させることもできる。
【００１３】
第７の発明は、第６の発明において、役物９には遊技球が転動可能な遊技球転動面３０を備えたステージ２９が備えられ、該遊技球転動面３０の直上には、複数の遊技球受入口１４と連通して役物９内に配設したワープルート３２の排出側と連通する複数の第一排出孔３３が臨んでいると共に、前記遊技球転動面３０には、前記夫々の第一排出孔３３から排出されて転動する遊技球を遊技領域Ａへと排出する複数の第二排出孔３４が備えられていることを特徴とする弾球遊技機としたことである。
本発明によれば、遊技球受入口１４から入球された遊技球が、その遊技球受入口１４と連通するワープルート３２を通過し、所定の第一排出孔３３からステージ２９上に排出され、ステージ２９の遊技球転動面３０を転動して所定の第二排出孔３４から遊技領域Ａへと排出させることができるため、役物９の回転作動による遊技球受入口１４の変位により、どの遊技球受入口１４から入球したかによってどの第二排出孔３４から排出されるかの確率が変わり、例えば、役物９直下に入賞装置５を設けている場合であれば、前述の構成で当該入賞装置５に入賞する確率が異なる。従って、遊技者は遊技球受入口１４の変位に注目して遊技をすることができ、上述した効果と共に、遊技球の転動の行方を楽しむことができる。
【発明の効果】
【００１４】
本発明によれば、ワープルートへの入球確率に変化を持たせ、遊技の興趣を向上させた弾球遊技機を提供することができる。
【発明を実施するための最良の形態】
【００１５】
以下、本発明の一実施形態について説明する。なお、本実施形態は本発明の一例にすぎずなんらこれに限定解釈されるものではなく、本発明の範囲内で設計変更可能である。
図１乃至図５は実施例１、図６は実施例２、図７乃至図１０は実施例３、図１１乃至図１３は実施例４を示す。
【実施例１】
【００１６】
図１は、本発明を適用した弾球遊技機（パチンコ機ともいう）の遊技盤１を遊技者側から見た状態の概略正面図で、遊技盤１は、遊技盤ベース２に中央役物９その他の種々の遊技部材を備えて構成され、弾球遊技機を構成する図示しない内枠の前面に着脱自在に備えられる。また、本実施例の弾球遊技機にあっては、この遊技盤１の裏側には遊技に関する表示を行うための図示しない表示装置を備える。なお、本発明は、表示装置を備えない形態も実施の一形態として含める。
そして図示しないハンドルのレバーを時計回り方向に回転させることにより、例えば内蔵する発射ソレノイドを作動させて遊技球を表側の遊技領域Ａに打ち出すことができる。
【００１７】
遊技部材は、弾球遊技機において遊技に必要な全ての部材を言い、例えば、表側の遊技領域Ａを区画すると共に、該表側の遊技領域Ａに発射ソレノイドから打ち出される遊技球を導くガイドレール４、前記表示装置の変動表示を起動すると共に、大当たりとするか否かの抽選処理を起動する始動入賞装置５、大当たり時に開放するアタッカと称する第一種特別電動役物の大入賞装置６、一般入賞口となる一般入賞装置７、遊技領域での入賞を逃したアウト球を排出するアウト口８、遊技盤ベース２に打たれている図示しない多数の遊技釘、そして表側の遊技領域Ａを流下転動する遊技球を振り分ける中央役物９などが一例として挙げられる。また、特に限定されるものではないが、本実施例では、これら遊技部材の全てを透明部材で形成することも可能である。
【００１８】
遊技盤ベース２は、透光性部材（透明部材）又は非透光性部材（非透明部材）のいずれであってもよいが、前記各遊技部材を固定でき、かつ、容易に変形しない（曲がらない）又は変質しない程度の硬度・強度等を有する材質のものを選択するのが好ましい。
そして、本実施例では、遊技盤ベース２のうち、遊技領域Ａを構成している部分の一部、すなわち前記中央役物９を配設する箇所を前後方向にわたって円筒状に貫通させた貫通孔３を備え、該貫通孔３に前記中央役物９を回転可能に配設する。
貫通孔３は、前面（遊技領域Ａを構成している遊技盤ベース２の前面２ａ）円周方向に、孔内径よりも小径の内径を有するフランジ部３ａを周設すると共に、該孔３と連通して駆動部配設空間３ｂを遊技盤ベース２内に凹設している。
また、本実施例では、貫通孔３を備えた領域以外の遊技領域Ａ全域を非透光性部材で構成しているが、遊技領域Ａの全領域を透光性部材で形成して遊技盤裏側が視認可能とする構成を採用することも可能である。
また、本実施例にあって遊技盤ベース２は、遊技領域Ａ中の一部に貫通孔３領域を有するものであれば特に限定されず本実施例の範囲である。
なお、本実施例では、図１に示すように遊技領域Ａを正面視楕円形状に構成しているが、特に限定解釈されるものではなく、本発明の範囲内で真円形状その他の形状に設計変更可能である。
【００１９】
なお遊技盤ベース２を透光性部材で形成する場合、例えば、透明性の高い硬質の合成樹脂材が一例として挙げられ、さらに具体的には、無色透明のアクリル樹脂材、ポリカーボネート樹脂、ポリアリレート樹脂などが任意に選択される。遊技盤ベース２の全体を構成する透光性部材は無色透明が好ましいが、有色透明部材を採用することも可能である。また仕様によっては遊技盤ベース２を無色透明部材と有色透明部材とで構成したり、遊技盤ベース２に色彩・模様を施すことも可能である。但し、遊技盤１の遊技領域Ａの裏側全域に表示装置を配置するような場合には、表示装置による演出に悪影響を及ぼさない範囲内で設計変更可能である。この場合、模様は無色透明の線図が好ましいが、遊技盤ベース２の裏面側に配設される表示装置の構成によっては有色模様を施すことも可能である。
また、樹脂以外の材質、例えばガラスなどを採用することも本発明の範囲内であり設計変更可能である。
【００２０】
本実施例は、前記中央役物９に特徴的な構成を有するため、以下、この中央役物９を中心に説明し、弾球遊技機を構成しているその他の構成部分については本発明の範囲内で設計変更可能であるためその詳細は上述の記載程度に留める。なお、本実施例では、中央役物としているが、本実施例の特徴的な構成を採用する役物はこれに限定されるものではない。
【００２１】
中央役物９は、図１乃至図４に示すように、回転部１０と、該回転部１０を回転可能に保持する非回転部１６と、前記回転部１０を回転駆動させる駆動装置２３とで構成され、前記遊技盤ベース２に設けた貫通孔３に対して後方から回転可能に挿入し、遊技盤ベース２と共に遊技盤１を構成している。また、本実施例では、遊技盤ベース２における中央役物９の直下に始動入賞装置５を備えるものとする。なお、本実施例では、中央役物９が、遊技盤ベース２に対して直交する回転軸を中心に回転可能に構成されている。
【００２２】
回転部１０は、本実施例によると、図３に示すように、前記貫通孔３よりも僅かに小径の外径を有する前後面を開放した断面視真円の第一円筒部１１と、該第一円筒部１１の後端にて該第一円筒部１１と同一内径で、かつ該第一円筒部１１外径よりも大径の外径を有する第二円筒部１２とで構成されており、該第二円筒部１２の外径には円周方向にギア部１３が設けられている。
そして、前記第一円筒部１１は、貫通孔３内に挿入すると共に、前記第二円筒部１２の前端面１２ａを貫通孔３の前端（フランジ部３ａ）に当接させた時に、前記貫通孔３の前端縁（フランジ部前端縁３ｃ）から遊技領域Ａ内に所定長さ突出する幅（奥行き）を有し、前記第二円筒部１２は、その前端面１２ａを貫通孔３の前端（フランジ部３ａ）に当接させた時に、貫通孔３内に収容され、その後端縁１２ｂが貫通孔後端縁３ｄと同一平面に位置する幅（奥行き）を有する。
【００２３】
前記第一円筒部１１には、遊技領域Ａを転動流下する遊技球を受け入れる一個乃至複数個の遊技球受入口１４が、外径側から内部空間１５へと連通して設けられている。
本実施例では、前記遊技球受入口１４が、円周方向に４５度ずつ間隔をあけて計４個設けるものとしている。
なお、遊技球受入口１４の形状、配設数及び配設間隔などは特に図示形態に限定されず、本発明の範囲内で設計変更可能である。
【００２４】
非回転部１６は、図３及び図４に示すように、前記回転部１０の内径よりも僅かに小径の外径を有し、その外径に回転部１０の内径が摺接するように形成された円筒状の突部１７と、該突部１７後端にて同一内径で外径方向に突出するフランジ部１８とで構成されており、該フランジ部１８は、前記貫通孔３の孔径よりも大径に形成されると共に、かつ該孔３と連通して設けた遊技盤ベース２側の駆動部配設空間３ｂと連通する非回転部１６側の駆動部配設空間１９が形成されて遊技盤ベース２の裏面２ｂに当接固定される。また、前記突部１７は、フランジ部１８を遊技盤ベース２の裏面２ｂに当接固定した際に、遊技盤ベース２の前面２ａと同一平面で位置する幅（奥行き）に形成されている。
【００２５】
また、本実施例では、当該非回転部１６の内部空間の前端側に透光性部材からなる窓部２０を備え、該窓部２０を介して後方に配設される表示装置を視認可能としている。窓部２０を構成する透光性部材は、前記遊技盤ベース２の構成で説明した透光性部材の構成と同一である。
窓部２０は、前面２０ａが突部１７の前面１７ａと同一平面となるように配設されている。
従って、本実施例によれば、前記回転部１０を非回転部１６の突部１７外径に嵌め込むと共に、遊技盤ベース２の貫通孔３に挿入し、非回転部１６のフランジ部前面１８ａを遊技盤ベース裏面２ｂに当接固定すると、前記窓部前面２０ａと突部前面１７ａが、遊技盤ベース前面２ａと同一平面で位置する構成としている。なお、遊技盤１の裏側に表示装置を備えない実施の形態にあっては、このような透光性部材からなる窓部２０を備えないものとする。
【００２６】
このような構成により、図３に示すように、前記窓部前面２０ａ及び突部前面１７ａと前記回転部１０の第一円筒部前端１１ａとの間で所定のワープ空間２１が形成され、該ワープ空間２１と前記第一円筒部１１に設けた各遊技球受入口１４とにより、該遊技球受入口１４を遊技領域Ａ中に臨ませたワープルート２２が内装される。すなわち、任意の遊技球受入口１４から受け入れられた遊技球は、前記ワープ空間２１を転動流下して任意の遊技球受入口１４から再び遊技領域Ａへと排出される。
【００２７】
駆動装置２３は、図３乃至図４に示すように、本実施例では小型のモータが採用されており、非回転部１６側の駆動装置配設空間１９にモータ本体２３ａが、遊技盤ベース２側の駆動装置配設空間３ｂに、該モータ本体２３ａの回転軸に取り付けられたギア２３ｂが夫々収容されている。
そして、該駆動装置２３のギア２３ｂは、前記回転部１０のギア部１３に噛み合って備えられ、前記駆動装置２３のギア２３ｂを介して回転駆動が回転部１０のギア部１３に伝達されることにより、回転部１０が所定方向に回転作動する。
なお、本実施例では、前記駆動装置２３によって、遊技者側から見て左回り若しくは右回り方向に中央役物９を回転可能に構成している。
図２は、中央役物９が、図１の状態から左方向に回転して、図１の状態で遊技球を受け入れた左上の遊技球受入口１４が始動入賞装置５の直上に位置した状態を示す。この場合、遊技球を受け入れた遊技球受入口（図１で左上に位置する遊技球受入口）１４と遊技球を遊技領域Ａへと排出する遊技球受入口（図２で始動入賞装置の直上に位置する遊技球受入口）１４とが同一となる。図中矢印Ｒは中央役物の回転方向、Ｂは遊技球を示す。
【００２８】
なお、駆動装置２３によって、中央役物９を時計回り方向（遊技者側から見て右回り方向）と反時計回り方向（遊技者側から見て左回り方向）のいずれか一方若しくは双方に回転可能に構成してもよく、また、３６０度連続回転するように構成することも可能であるが、回転範囲を制限して一定範囲のみ回転可能、例えば左右いずれか一方若しくは双方に４５度ずつ・９０度ずつなど所定角度ずつ回転するように構成することも可能である。また、左右方向に交互に回転させて振り子運動による演出も可能である。
また、駆動装置２３は、中央役物９を間欠駆動させることも可能で中央役物９の回転駆動に変化を持たせることができる。
【００２９】
本実施例によれば、このように遊技領域Ａに突出して配設した回転部１０を、駆動装置２３にて回転可能に構成することで、前記回転部１０に設けた遊技球受入口１４の位置が、遊技領域Ａ内にて変位可能に構成されることとなる。また、本実施例によれば、遊技盤１裏側の表示装置を視認可能とする窓部１７を備える非回転部１６が遊技盤ベース２に固定され、回転部１０のみ回転する構成であるため、表示装置による表示領域は固定状態のままで表示装置の視認性を阻害することもない。
【００３０】
また、ワープルート２２の遊技球受入口１４は常に遊技領域Ａに開放されており、遊技球を常時受入可能な状態で変位するものであるため、高度な発射技量を有していない初心者であっても、然程問題なく遊技を行うことが出来、また本実施例のように、遊技盤ベース２における中央役物９の直下に始動入賞装置５を備えるものとすれば、入賞率の低下及び遊技の興趣低下を防止できる。
また、中央役物９が駆動装置２３によって回転可能に備えられ、中央役物９に備えたワープルート２２の遊技球受入口１４の位置を遊技中に変位させることができるため、遊技領域Ａ内の広い位置で転動する遊技球を拾うことができるので、遊技に対する飽きや興趣の低下を防止することができる。
さらに、ワープルート２２の遊技球受入口１４位置が変位するため、遊技者の発射技量を活かすこともでき、高度な発射技量を有している者にとっても遊技の興趣が図れる。
また、中央役物９の回転作動にしたがって、遊技球受入口１４も回転方向に移動するため、例えば本実施例のように、中央役物９の上方部位で遊技球を受け入れた遊技球受入口１４が、下方部位に移動して遊技球を遊技領域Ａへと排出する場合があるため、遊技の意外性により遊技者の興趣が向上する。
【００３１】
また、前記駆動装置２３は、図示しない駆動制御手段により駆動制御することも可能である。
駆動制御手段は、中央役物９の駆動速度又は駆動角度若しくは駆動方向などを本発明の範囲内で変更することが可能である。
例えば、図示はしないが、遊技球受入口１４に遊技球通過検出部を備え、いずれかの遊技球受入口１４を遊技球が通過するまでは遊技球が遊技球受入口１４に受け入れられ易いように図１に示す状態で中央役物９を固定させておき（駆動装置を停止制御する）、遊技球受入部１４の遊技球の通過を検出した場合に、ワープ空間２１内を転動流下する遊技球が始動入賞装置５に入賞し易いように図２に示す状態に中央役物９を回転させるように駆動制御部によって制御する。
また、例えば、遊技状態が通常の遊技状態の時には通常の速度で駆動させ、遊技状態が時短中など遊技者に有利な状態である時には、通常の速度よりも遅い速度で駆動させることが可能である。このような制御を行うことにより、ワープルート２２の遊技球受入口１４を遊技者が狙い易くなる。
【００３２】
また、例えば、図示はしないが、入賞装置（例えば始動入賞装置５）に遊技球通過検出部を備え、入賞装置への遊技球の入賞を前記検出部が所定時間検出しない場合には、中央役物９を遅い速度で駆動するように駆動制御部で制御させ、ワープルート２２の遊技球受入口１４への入球を容易にすることもできる。
さらに、例えば中央役物９の直下位置に備えられた始動入賞装置５に最も入賞し易い角度を、駆動制御部などに記憶させておき、遊技状態に応じてその記憶角度になるように駆動制御することもできる。また左右いずれかの方向への駆動で、入賞装置への入賞率が異なる場合には、遊技状態に対応した駆動制御が可能である。
【００３３】
なお、特に限定解釈されることではないが、上述の通り回転部１０の内径は非回転部１６の突部１７外径を摺動するため、その摩擦抵抗を少なくする構成を採用すると好ましい。例えば、前記回転部１０と突部１７のいずれか一方若しくは双方を摩擦抵抗の少ない材質で形成するか、あるいは滑性の高いコーティング材で、摺動部分に被膜を構成するものとすることが本発明の範囲内で適宜採用可能である。
「変形例１」
【００３４】
前記実施例１では、遊技盤ベース２に対して直交する回転軸を中心に中央役物９が回転可能に構成されているが、回転軸が直行していない状態の場合も本発明の範囲内である。
また、本実施例では、中央役物９を断面視真円の円筒状としているが、これに限定されず、断面視楕円の円筒状や断面視矩形の筒状などであってもよく、これら真円以外の形状を採用する場合、回転範囲が制限される。すなわち、回転範囲を大きくとると、中央役物９と遊技盤ベース２との間に隙間が生じるため、その隙間に遊技球が挟まり遊技が中断する虞があるため、隙間の生じない範囲で回転作動するように構成する。なお、遊技球が挟まり遊技が中断することのないような構成を採用するように配慮すれば回転範囲を大きくとることも可能である。また、後方に配設する表示装置の表示に支障を来たさない様に配慮する必要性もある。
さらに、中央役物９を左右若しくは上下方向に平行移動する構成を採用することもでき、このような構成を採用する場合には、中央役物９と遊技盤ベース２との間に遊技球が挟まり遊技が中断することのないように配慮する必要がある。また、後方に配設する表示装置の表示に支障を来たさない様に配慮する必要性もある。
【実施例２】
【００３５】
図６は本発明の実施例２の要部を示す概略断面図である。
本実施例では、実施例１で駆動装置として採用したモータに代えて、超音波モータ２５を採用した点で実施例１と異なる。図面では、超音波モータ２５の概略を示すが、周知一般の超音波モータが本発明の範囲内で採用される。本実施例では、図中、２５ａは円板状のロータ、２５ｂは円板状のステータを示し、前記ロータ２５ａは回転部１０の後端に一体的に固定され、ステータ２５ｂは非回転部１６の突部１７外径に固定されている。
このように、超音波モータ２５を採用することにより、実施例１のモータ２３を使用する場合と比して、ギア減速機構を必要とせず、かつ小型・軽量であることから設置に際しての自由度が高い。
その他の中央役物９の構成及び遊技機構成にあっては、前記実施例１の構成を採用可能であるためその説明は省略する。
【実施例３】
【００３６】
図７乃至図１０は本発明の実施例３を示す
本実施例では、遊技盤ベース２及び中央役物９の構成が実施例１と異なる実施の一形態である。なお、その他の構成及び作用効果は実施例１及び実施例２と同様であるためその説明は省略する。
【００３７】
本実施例における遊技盤ベース２は、図７乃至図１０に示すように、遊技盤ベース２の中央部分に正面視真円の円筒部２６を貫通形成し、該円筒部２６よりも僅かに小径で、外周面にギア部２７ａを形成してなる回転盤２７を、前記遊技盤ベース２の前面２ａと同一平面となるように前記円筒部２６内に収容すると共に、前記ギア部２７ａと噛み合い配設されるギア２３ｂを備えたモータ（駆動装置）２３を遊技盤ベース２の裏面２ｂ側に備えて構成されている。
また、本実施例にあっては、中央役物９の窓部３１に対する遊技盤１の裏側に図示しない表示装置を備えるため、少なくとも前記回転盤２７を透光性部材で構成し、遊技盤１の裏側を視認可能に構成している。なお、少なくとも回転盤２７を透光性部材で構成するものであればよいが、遊技領域Ａの全域を透光性部材で構成することも可能で本発明の範囲内である。
【００３８】
中央役物９は、全体を透光性部材で形成すると共に、前記回転盤２７の前面２７ｂに固定して備えられている。該中央役物９には、図７乃至図１０に示すように、遊技球が転動可能な天通路２８と、遊技球が転動可能な遊技球転動面３０を備えたステージ２９が備えられ、該天通路２８とステージ２９との間で窓部３１が形成されている。
【００３９】
前記天通路２８には、その上面略中央位置と左右側面位置に夫々遊技球受入口１４が設けられている。そして、前記ステージ２９の遊技球転動面３０の直上には、前記複数の遊技球受入口１４と連通して配設した夫々のワープルート３２の排出側と連通する複数の第一排出孔３３が臨んでいると共に、前記遊技球転動面３０には、前記夫々の第一排出孔３３から排出されて転動する遊技球を遊技領域Ａへと排出する複数の第二排出孔３４が備えられている。
【００４０】
ワープルート３２は、本実施例においては、遊技球受入口１４と連通して回転盤２７に設けた第一球通路２７ｃと、第一排出孔３３と連通して回転盤２７に設けた第二球通路２７ｄとにわたって回転盤２７裏側に配設された裏通路３５とで構成されている。
また、本実施例の中央役物９は、天通路２８・ステージ２９及びワープルート３２の全構成部材を透光性部材で構成し、前記透光性部材からなる回転盤２７と共に、遊技盤１の裏側を視認可能としている。
さらに本実施例では、左右夫々の遊技球受入口１４とステージ２９の左右夫々の端部２９ａとの間には壁部３６が立上げ形成されており、中央役物９内への横方向からの遊技球の入球はできないが、壁部３６を設けないで入球可能とすることも可能である。
【００４１】
本実施例によれば、中央役物９は、駆動装置２３のギア２３ｂを介して回転駆動が回転盤２７のギア部２７ａに伝達されることにより所定方向に回転作動する前記回転盤２７と共に所定方向に回転作動する。
そして、遊技球受入口１４から入球された遊技球は、その遊技球受入口１４と連通する夫々のワープルート３２を通過し、所定の第一排出孔３３からステージ２９上に排出され、ステージ２９の遊技球転動面３０を転動して所定の第二排出孔３４から遊技領域Ａへと排出させることができる。
【００４２】
従って、本実施例によれば、中央役物９の回転作動による遊技球受入口１４の変位により、どの遊技球受入口１４から入球したかによってどの第二排出孔３４から排出されるかの確率が変わり、例えば、中央役物９直下に始動入賞装置５を設けている場合であれば、前述の構成で当該始動入賞装置５に入賞する確率が異なる。
【００４３】
本実施例にあっては、駆動装置２３による回転盤２７の駆動制御を、具体的には次のように構成するものとしている。
中央役物９が回転作動している際に、例えば中央の遊技球受入口１４から遊技球が受け入れられた場合には、中央のワープルート３２を介して中央の第一排出孔３３からステージ２９上に排出され、中央の排出通路３７及び回転盤２７裏側の裏通路３５を介して第二排出孔３４から遊技領域Ａへと排出され、直下の始動入賞装置５に入賞し易くなる可能性が高いため、駆動制御部によって図７の状態で回転駆動を停止制御するように構成するのが好ましい。
【００４４】
また、例えば遊技者側から見て左側の遊技球受入口１４から遊技球が受け入れられた場合には、左側のワープルート３２を介して左側の第一排出孔３３からステージ２９上に排出されるため、図７の状態では始動入賞装置５に入賞する確率が低くなる。よって、このような場合には、図１０の状態（図７の状態から右方向に４５度中央役物９を傾けた状態）となるように中央役物９を回転させると共に、その状態で回転駆動を停止制御するように構成すれば、左側の第一排出孔３３から排出された遊技球は、ステージ２９上を左方向から右方向へと転動し、始動入賞装置５の直上に位置する右側の第二排出孔３４から排出される可能性が高くなるため、始動入賞装置５に入賞する確率が高くなり好ましい。
また、図示はしないが、右側の遊技球受入口１４から遊技球が受け入れられた場合には、図７の状態から左方向に４５度傾けた状態に中央役物９を回転制御すれば、右側の第一排出孔３３から排出された遊技球は、ステージ２９上を右方向から左方向へと転動し、始動入賞装置５の直上に位置する左側の第二排出孔３４から排出される可能性が高くなるため、始動入賞装置５に入賞する確率が高くなり好ましい。
【００４５】
なお、夫々の遊技球受入口１４に遊技球の通過を検出する検出部を備え、その検出部による検出信号によって駆動制御部を駆動制御する構成を採用すれば上述の作用効果を達成することが可能である。
【００４６】
従って、本実施例によれば、遊技者は遊技球受入口１４の変位に注目して遊技をすることができ、上述した効果と共に、遊技球の転動の行方を楽しむことができる。
【００４７】
また、本実施例では、夫々の遊技球受入口１４は夫々別個独立したワープルート３２を介して夫々の第一排出孔３３からステージ２９上へと排出する構成を採用するが、夫々の遊技球受入口１４と連通する夫々のワープルート３２を合流させると共に、図面上で中央の第一排出孔３３に連絡する構成を採用することも可能である（図示省略）。このように構成することにより、いずれの遊技球受入口１４から遊技球が入球したとしても全て中央の第一排出孔３３からステージ２９上に排出されるため、排出された遊技球の行方に遊技者の注目を集中させることができ、遊技の興趣が向上する。
【実施例４】
【００４８】
図１１乃至図１３は本発明の実施例４を示す
本実施例では、遊技盤ベース２及び中央役物９の構成が実施例１と異なる実施の一形態である。なお、その他の構成及び作用効果は実施例１乃至実施例３と同様であるためその説明は省略する。
【００４９】
本実施例における遊技盤ベース２は、中央役物９が該ベース２上を摺接して駆動するものであるため、前記実施例１乃至３のように回転部分を遊技盤ベース２に備える必要はない。しかし、中央役物９の裏面側には、天通路２８中央の遊技球受入口１４とステージ２９中央の第一排出孔３３とをつなぐ裏通路３５が突出しているため、中央役物９が左右方向に回転するときには、その裏通路３５の移動を阻害しない程度の移動スペースが必要となる。従って、本実施例では、遊技盤ベース２の略中央位置に、前記移動スペース用の空間３８を形成すると共に、その空間３８の下方には中央役物９に回転軸３９ａを固定して回転駆動を中央役物９に伝達する駆動装置３９を配設している。なお、遊技盤ベース２に形成される前記移動スペース用の空間３８は、回転軸３９ａを中心に回転する中央役物９の回転範囲にて、裏通路３５が接触しない最低限の広さの空間が確保されればよく、中央役物９の回転作動中に当該空間３８が遊技領域Ａに現れないように考慮する。
また、本実施例の遊技盤ベース２は、裏側に配設される表示装置が視認可能なように、少なくとも中央役物９の配設位置部分を透光性部材で構成する。なお、遊技盤ベース２全体を透光性部材で構成することも本発明の範囲内である。
なお、本実施例では、遊技盤ベース２における中央役物９の回転範囲内には、回転駆動の妨げとなるため遊技釘を設けないものとする。
【００５０】
本実施例における中央役物９は、遊技盤ベース２の表面２ａに突設させると共に、該遊技盤ベース２の裏側に備えた駆動装置２３により、前記ベース表面２ａを摺接して駆動可能に構成したことを特徴とする。なお、中央役物９の構成は、前記実施例３の中央役物９の構成と略同一であるためその詳細は省略する。なお、本実施例では、中央の第二排出孔３４がステージ２９上に設けられている点で実施例３の構成とは相違している。
また、本実施例の中央役物９は、天通路２８・ステージ２９及びワープルート３２の全構成部材を透光性部材で構成し、前記透光性部材からなる回転盤２７と共に、遊技盤１の裏側を視認可能としている。
【００５１】
本実施例の中央役物９の回転駆動制御は、例えば実施例３の駆動制御の具体例と同様に制御するのが好ましいが特に限定はされない。
本実施例によれば、中央役物９が遊技盤ベース２上に突出した状態で駆動するため、例えば左右方向に所定角度揺動させるように構成するものとすれば、実施例１乃至３に記載の効果と共に、振り子状の新規な遊技部材として遊技者の興趣を向上させることもできる。
【図面の簡単な説明】
【００５２】
【図１】本発明弾球遊技機を構成する遊技盤の一実施例を示す概略正面図。
【図２】図１の状態から左方向に回転した状態を示す遊技盤の概略正面図。
【図３】要部拡大断面図。
【図４】要部分解斜視図。
【図５】回転部のギア部と駆動装置のギアとが噛み合っている状態を示す縦断面図。
【図６】実施例２における要部拡大断面図。
【図７】実施例３における遊技盤の概略正面図。
【図８】要部拡大断面図。
【図９】回転盤のギア部と駆動装置のギアとが噛み合っている状態を一部切欠くと共に拡大して示す概略斜視図。
【図１０】図７の状態から４５度時計方向に回転した状態を示す遊技盤の正面図概略。
【図１１】実施例４における遊技盤の概略正面図。
【図１２】中央役物の概略斜視図。
【図１３】要部拡大断面図。
【符号の説明】
【００５３】
１  遊技盤
２  遊技盤ベース
３  貫通孔
９  中央役物
１０  回転部
１４  遊技球受入口
１６  非回転部
２３  駆動装置
【図１】
2006149638.tif 000003
【図２】
2006149638.tif 000004
【図３】
2006149638.tif 000005
【図４】
2006149638.tif 000006
【図５】
2006149638.tif 000007
【図６】
2006149638.tif 000008
【図７】
2006149638.tif 000009
【図８】
2006149638.tif 000010
【図９】
2006149638.tif 000011
【図１０】
2006149638.tif 000012
【図１１】
2006149638.tif 000013
【図１２】
2006149638.tif 000014
【図１３】
2006149638.tif 000015